(57)【要約】      （修正有）【課題】特段の設備改修をすることなく、最小限の配線工事等や制御装置の調整により、既存のエレベーターを状況の変化に応じて特殊運転モードへ遷移可能にするエレベーター制御システムを提供する。【解決手段】エレベーターの運行を制御するエレベーター制御システム１０であって、立ち入った人物の属性を推定可能な立入区域１５〜１８に保安設備として配設された既存の人感センサ１１〜ｎ４と、それらより得られた人感出力に応じて推定される人物の属性に適合する特殊運転モードへ遷移可能にする制御部１と、を備え、制御部１は、人感出力を得るために既存の保安設備を兼用利用するように情報接続された。立入区域１５〜１８は、女性専用領域１６，１８であり、特殊運転モードは、女性優待モードである、女性専用領域１６，１８は、女子更衣室１８又は女子トイレ１６である。【選択図】図１
2020083545.tif 000002
【特許請求の範囲】
【請求項１】
エレベーターの運行を制御するエレベーター制御システムであって、
立ち入った人物の属性を推定可能な立入区域に保安設備として配設された既存の人感センサと、
該人感センサより得られた人感出力に応じて推定される人物の属性に適合する特殊運転モードへ遷移可能にする制御部と、
を備え、
前記制御部は、前記人感出力を得るために前記既存の保安設備を兼用利用するように情報接続された、
エレベーター制御システム。
【請求項２】
前記制御部は、複数台のエレベーターに対する群管理として、
建物内の即応的交通状況やかご呼びに応じて複数台の中から最適なエレベーターを選択して割り当てる割当制御と、
周期的な交通流の変化に応じてエレベーター群の全体的な運行を決定する全体制御と、
各エレベーターに対する待機、回送、又は輸送の状態を遷移させる遷移制御と、
を制御可能であり、
前記特殊運転モードでは、
該特殊運転モードに遷移する原因となる前記人感出力を生じた発報階からのかご呼びに応じて回送するエレベーターを、他の階からのかご呼びに応じさせない独占排他的な運転に少なくとも1回割り当てる呼応独占と、
回送状態のエレベーターに対し、同一の属性を推定させる前記人感出力を生じる発報階があれば、当該発報階からのかご呼びに応じて、前記推定された人物の属性に適合する前記輸送の状態を維持する選別輸送と、
前記特殊運転モードに遷移する原因となる前記人感出力を生じた発報時刻から所定時間だけ前記推定された人物の属性に応じて前記複数台の中から当該属性専用に指定したエレベーターの運行を決定する時限専用化と、
前記属性専用に指定したエレベーターの運行状態である旨の表示と、
前記特殊運転モードである旨の表示と、
の少なくとも何れかを実現する、
請求項１に記載のエレベーター制御システム。
【請求項３】
前記立入区域は、女性専用領域であり、
前記特殊運転モードは、女性優待モードである、
請求項１に記載のエレベーター制御システム。
【請求項４】
前記女性専用領域は女子更衣室又は女子トイレであり、
前記女性優待モードは、
女性が乗り込んだと推定される場合に途中階からのかご呼びに応じない制御と、
女性が乗り込んだと推定される場合に途中階では、女性からのかご呼びと推定され場合以外に応じない制御と、
女性専用又は男性の利用禁止、あるいは男性に利用の遠慮を要請する表示と、
の少なくとも何れかを実行する、
請求項３に記載のエレベーター制御システム。
【請求項５】
前記エレベーターは、少なくともエレベーターの制御と監視を行う保安中枢設備を備えた建物に配設され、
前記人感出力は他の防災保安信号とともに前記保安中枢設備に情報接続され、
前記制御部は、前記保安中枢設備の内部又は近辺にて情報接続された前記人感出力を用いて、前記特殊運転モードへ遷移可能にする、
請求項１に記載のエレベーター制御システム。
【請求項６】
前記立入区域による推定可能な人物の属性は、
男女の別と、特定業種の従事者と、前記建物内における処遇、又は重要性や緊急性の優劣と、保護が必要であればその程度の区別と、のうち少なくとも何れかである、
請求項１に記載のエレベーター制御システム。
【請求項７】
エレベーターの運行を制御するエレベーター制御方法であって、
前記エレベーターを備えた建物内の立入区域に配設された人感センサが発報した人感出力を認識するステップと、
該認識された人感出力の発報原因となった立入区域を識別すると、
該識別された結果に基づいて立ち入った人物の属性を、男女の別と、特定業種の従事者と、前記建物内における処遇、又は重要性や緊急性の優劣と、保護が必要であればその程度の区別と、のうち少なくとも何れかに該当するか否かについて推定すると、
該人感センサから得られた人感出力に応じて推定される人物の属性に適合する特殊運転モードへ制御部が遷移するステップと、
を有するエレベーター制御方法。
【発明の詳細な説明】
【技術分野】
【０００１】
本発明は、エレベーター制御システム及びその方法に関し、特に、状況に応じて変化する論理に基づいて運転モードを切り替えるようにしたエレベーター制御システム及びその方法に関する。
【背景技術】
【０００２】
エレベーターのかご内は、密室状態を形成するため、例えば、男女が乗り合わせた場合に、かご内で犯罪が発生することが有る。このようなかご内での犯罪の発生を抑制する例として、例えば、特許文献１が知られている。特許文献１によれば、複数台エレベーターが併設された建物において、エレベーター群管理制御装置が、エレベーター乗り場に設置されるカメラにより性別を画像判定し、乗りかご１台を女性専用に割り当てるとともに、スピーカでかごの乗り込み制限をアナウンスすることによって、男女が同じかごに乗り合わせないようしている。
【先行技術文献】
【特許文献】
【０００３】
【特許文献１】特開２０１８−６２３９６
【発明の概要】
【発明が解決しようとする課題】
【０００４】
特許文献１に記載された、複数台エレベーターが併設された建物において、エレベーター群管理制御装置が、エレベーター乗り場に設置されるカメラにより性別を画像判定する方法では、各階の乗り場にカメラを設置する必要があるが、各階にカメラやスピーカ設置が必要であることや、設置台数分のカメラの映像線、スピーカの信号線等をエレベーター群管理装置に引き込む作業が発生する。更に、既設の建物に本機能を搭載する場合はエレベーター群管理制御装置に対して、画像から性別判定する処理機能の追加が必要である等の課題があり、実際に導入するならば、多額の費用を及び不便を伴う追加工事が必要となる可能性がある。
【０００５】
また、性別だけでなく、特定の人物（社長、オーナー等）や、業種（メンテンナンス業者、宅配業者）に適応する特殊運転モード（以下、単に「特殊運転」又は「専用運転」ともいう）を実現する場合、制御機能は、人物や服装の特徴を画像で判定するほか、ＩＣカードによる判定を行う等、より複雑となりコストも増大する。本発明は、かかる課題を解決するためになされたものであり、その目的とするところは、特段の設備改修をすることなく、最小限の配線工事等や制御装置の調整により、既存のエレベーターを状況の変化に応じて特殊運転モードへ遷移可能にするエレベーター制御システムを提供することにある。
【課題を解決するための手段】
【０００６】
上記目的を達成するために本発明は、エレベーターの運行を制御するエレベーター制御システムであって、立ち入った人物の属性を推定可能な立入区域に保安設備として配設された既存の人感センサと、該人感センサより得られた人感出力に応じて推定される人物の属性に適合する特殊運転モードへ遷移可能にする制御部と、を備え、前記制御部は、前記人感出力を得るために前記既存の保安設備を兼用利用するように情報接続されたものである。
【発明の効果】
【０００７】
本発明によれば、特段の設備改修をすることなく、最小限の配線工事等や制御装置の調整により、既存のエレベーターを状況の変化に応じて特殊運転モードへ遷移可能にするエレベーター制御システムを提供できる。
【図面の簡単な説明】
【０００８】
【図１】本発明の一実施形態に係るエレベーター制御システム（以下、「本システム」ともいう）の全体構成を示すブロック図である。
【図２】図１の本システムを用いたエレベーター制御方法（以下、「本方法」ともいう）の手順を示すフローチャートである。
【図３】図１の本システムに対する変形例も交えて、人感センサ（単に「センサ」ともいう）の発報（「動作」ともいう）から特殊運転開始までの時間と、特殊運転持続時間と、設定時刻との一覧表である。
【発明を実施するための形態】
【０００９】
以下、図面を参照して、本発明の実施例について詳細に説明する。ところで、後述するように、所定基準に該当する（ある規模以上の）建物２０には防災・セキュリティ管理（以下、「保安」と略す）目的で各部にセンサを配設するとともに、それらのセンサ信号を１か所で把握して設備の状態を集中管理する法定義務がある。本発明では、このように集中管理された既存のセンサ信号を兼用利用することにより、既設の建物に対して特段の設備改修をすることなく、最小限の配線工事等や制御装置の調整だけで、エレベーターを、女性優待モードその他の特殊運転モードに遷移させることを可能にする。
【００１０】
図１は、本発明の一実施形態に係るエレベーター制御システム（本システム）の全体構成を示すブロック図である。本システム１０は、建物２０に標準的に設置された保安用の人感センサ１１〜ｎ４を活用することにより、画像処理等の複雑で高価な付帯設備を要することなくエレベーター利用者の性別を判定し、その判定結果が女性であれば、女性優待モードへ遷移するというオプション機能を備えたシステムである。なお、女性優待モードは、ほかにも多種類が考えられる特殊運転モードを分かり易く説明するための典型的な一例に過ぎない。
【００１１】
図１に示すように、本システム１０は、建物２０において、エレベーターの運行を制御するエレベーター制御システム１０である。本システム１０は、人感センサ１１〜ｎ４と、制御部１と、を備えて構成される。制御部１は、状況の変化に応じてエレベーターを特殊運転モードへ遷移可能にする。状況の変化は、人感出力で検出する。
【００１２】
人感出力で検出するための人感センサ１１〜ｎ４は、建物２０内の立入区域１５〜１８に立ち入った人物の属性を推定可能に配設されている。図１に例示するｎ階建ての建物２０は、説明を簡略化するため全ての階が同一間取りであり、各階のセンサ配置も同一とする。保安用のセンサが配設された立入区域１５〜１８は、各階毎に男子トイレ１５、女子トイレ１６、男子更衣室１７、及び女子更衣室１８である。
【００１３】
男子トイレ１５には人感センサ１１〜ｎ１が配設され、女子トイレ１６には人感センサ１２〜ｎ２が配設され、男子更衣室１７には人感センサ１３〜ｎ３が配設され、女子更衣室１８には人感センサ１４〜ｎ４が配設されている。これらより得られる人感出力に基づいて、その立入区域１５〜１８別に人感センサ毎の発報原因を把握できる。これによって立ち入った人物の属性を推定することが可能である。なお、保安用のセンサは本来、非常事態を検出して対処する目的が多いものの、ここでは、不審者等による例外的な立ち入りのあった場合は想定しないものとする。定期清掃等の立ち入りに対しても、タイマーセットその他の選別手段を用いて適用除外する。
【００１４】
上述以外に、図示しない各階のエレベーター乗り場や廊下、テナントドア、非常口ドア等にも、人感センサや電気錠が、標準的に配設されているので、それらの発報出力を適宜に利用可能である。つまり、ある属性の人だけが立ち入ることを許容された区域１５〜１６に配設された人感センサ１１〜ｎ４から得られた人感出力によれば、人物の属性を推定できる。なお、電気錠は、「状態表示」の常時出力と、開閉動作時に「開動作発報」及び「閉動作発報」の発報信号と、少なくとも何れかが得られるものを使えるものとする。
【００１５】
つぎに、制御部１について説明する。制御部１は、一般的な保安管理のほか、複数台のエレベーターを群管理する本来の標準的な機能に加えて、本発明に係る特徴的なオプション機能を備えている。そのオプション機能とは、得られた人感出力に応じて推定される人物の属性に適合する特殊運転モードに遷移させるように、エレベーターの運行を制御する機能をいう。
【００１６】
制御部１は、エレベーター制御装置２と、管理人室や中央管理室等（以下、「保安中枢設備」ともいう）３と、エレベーター監視装置５と、より構成されている。エレベーター制御装置２は、上述の群管理機能に加えて、本発明に係るオプション機能として、特殊運転モードを受け付けて実行する制御機能も備えている。
【００１７】
保安中枢設備３には設備盤・防災盤４が配設されて監視員等が常駐していることが多い。なお、本発明において、監視員等の人手は不要である。設備盤・防災盤４には各設備の発報状態を集中監視するために保安用の各種センサが集中的に情報接続されている。各種センサには、人感センサ１１〜ｎ４や電気錠のほか、不図示のポンプ・給排水設備・火災報知器等に関連する煙感知器や熱感知器もある。このような設備盤・防災盤４は、ほかでも説明するように、ある規模以上の建物２０に対し、法的に設置が義務付けられている。したがって、建物２０には、本発明を実施するための構成要件のほとんどが揃っている。
【００１８】
エレベーター監視装置５は、エレベーターの運行制御を行うエレベーターの状態を監視する制御中枢機能であり、エレベーター制御装置２に対して上位の制御機能である。このエレベーター監視装置５は、設備盤・防災盤４にも情報接続されており、各種センサが発報しているか否かについて、設備盤・防災盤４を通じて取得できるように構成されている。
【００１９】
このエレベーター監視装置５は、設備状態検出部６と、制御処理部７と、設備状態記憶部８と、エレベーター動作状態判定部９と、エレベーター動作モード切替部１９と、エレベーター通信部２５と、を備えている。
【００２０】
設備状態検出部６は、設備盤・防災盤４を介して、各種設備センサ１１〜ｎ４の発報有無に係る情報を取得する。制御処理部７は、設備状態検出部６、設備状態記憶部８、エレベーター動作状態判定部９、及びエレベーター動作モード切替部１９と、に情報接続され、所定のプログラムを実行して演算処理する専用のコンピュータである。この制御処理部７は、想定された状況に適切な対応するための制御信号を生成して出力する。
【００２１】
設備状態記憶部８は、設備状態の履歴を記憶判定する。エレベーター動作状態判定部９は、エレベーター運転モードや運転履歴を判定する。エレベーター動作モード切替部１９は、専用運転（本発明でいう「特殊運転モード」）や平常運転等のエレベーター運転モードの切り替えを行う。エレベーター通信部２５は、制御処理部７とエレベーター制御装置２との間に介在して制御信号を通信する。
【００２２】
制御部１のオプション機能として、得られた人感出力に応じて推定される人物の属性に適合する特殊運転モードに遷移させるように、エレベーターの運行を制御する。ここでは主に、特殊運転モードの一例である女性優待モード（以下、「専用運転」ともいう）を例示して、より具体的に説明する。建物２０内で、ある女性が、２階女子トイレ１６に立ち入った場合、その場所に設置されているセンサ２２が人感出力を発報する。
【００２３】
この人感出力により、エレベーター監視装置５は、設備盤・防災盤４を介して、２階女子トイレ１６に女性が立ち入ったことを検出する。この検出により、エレベーター監視装置５は「２階にはトイレに限らず女性が居る」と推定できる。このことは、建物２０に既存の設備を兼用利用することにより、画像処理等の複雑で高価な付帯設備を用いることなく、簡便かつ容易に性別判定が可能なことを意味する。その検出結果に応じて、エレベーターの運転状態を女性優待モードに遷移させることができる。
【００２４】
上述したように、従来技術による性別判定には、カメラ等の追加や、画像から性別判定を行う処理のため、高価な付帯設備が必要であった。本システム１０では、それらを不要とし、ある規模以上の建物２０であれば、法の規定もあって標準的に既設されているセンサを兼用利用することにより、状況に適応した特殊運転モードに遷移可能なエレベーター制御を行うことができる。その特殊運転モードの一例として、女性優待モードを挙げたが、ほかにも多様な対応が可能である。
【００２５】
図２は、図１の本システムを用いたエレベーター制御方法（以下、「本方法」ともいう）の手順を示すフローチャートである。女性が女子トイレ１６を利用すると、人感センサ１２〜ｎ２が発報する。例えば、２階の女子トイレ１６のセンサ２２が発報すると、エレベーター監視装置５は設備状態検出部６よりセンサ２２が発報したことを検出する（ステップＳ１）。
【００２６】
特定のセンサの発報を検出した後、エレベーター監視装置５は、設備状態記憶部８に記憶された履歴をたどり、他の特定のセンサが所定時間以内に発報したか否かを参照する（ステップＳ２）。本システム１０において、他の特定のセンサは、２階の男子トイレ１５のセンサ２１、及び男子更衣室１７のセンサ２３とし、所定時間は５分として説明する。ただし、２階以外、すなわち1階に及びｎ階に配設された、男子トイレ１５のセンサ１１，ｎ１と、男子更衣室１７のセンサ１３，ｎ３と、については、つぎのように位置付けられる。すなわち、これらは、女性が搭乗中のエレベーターへの相乗りを防ぐために、Ｓ２でいう他の特定のセンサ以外の位置づけとされる。
【００２７】
他の特定のセンサ２１又は２３が５分以内に発報していた場合（Ｓ２でＹｅｓ）、女性優待モードへの移行処理（以下、「本処理」ともいう）は行わずに終了する。その理由は、同じ階にエレベーター利用者が他に居ること、また、利用者がフロアから乗り場に移動する進行経路による推定によれば、部外者・不審者の可能性が低いからである。逆に、他の特定のセンサ２１又は２３が５分以内に発報していない場合や、他の特定のセンサ以外１１又はｎ１、１３、ｎ３が発報していた場合（Ｓ２でＮｏ）であっても、同じ階に女性以外のエレベーター利用者は居ないと見なし、ステップＳ３に進む。
【００２８】
エレベーター監視装置５は、エレベーター通信部２５とエレベーター動作状態判定部９から、エレベーターが利用されずに所定時間以上経過したか否かを判定する（ステップＳ３）。なお、本システム１０では、エレベーター利用者が多数の状態で、女性優待モードに遷移することによるサービスの低下を防ぐため、エレベーターがしばらく利用されていない時間を１０分として説明する。エレベーターが１０分以内に利用されていた場合（Ｓ３でＮｏ）、エレベーターは頻繁に利用されていると見なし、本処理は行わず終了する。エレベーターが１０分以上利用されていない場合（Ｓ３でＹｅｓ）、ステップＳ４に進む。
【００２９】
ここでは、特定のセンサが発報し、他の特定のセンサが５分以内に発報しておらず、エレベーターも１０分以上利用されていないため、エレベーター監視装置５は、エレベーター動作モード切替部１９より、エレベーター制御装置２へ「通常運転」から「専用運転」に切替えの指令を行う（ステップＳ４）。
【００３０】
ステップＳ４と合わせて、エレベーター監視装置５は、エレベーター動作モード切替部１９を作動し、エレベーター制御装置２に対し、特定階（ここでは女性が居る２階となる）へエレベーターを移動して待機させるよう制御する（ステップＳ５）。
【００３１】
エレベーターが２階に待機すると、エレベーター監視装置５はエレベーター動作状態判定部９にてモード変更時限をカウントアップさせる（ステップＳ６）。ここでは、女性が特定の場所を出てからエレベーターを利用するまでの時間（モード変更時限）を２分として説明する。
【００３２】
女性がエレベーターを利用したか、すなわち２階に待機した当該エレベーターが運転されたかを判定し（ステップＳ７）、運転されない場合（Ｓ７でＮｏ）は、モード変更時限が２分を経過したかを確認する（ステップＳ８）。モード変更時限が２分以内の場合は（Ｓ８でＮｏ）、ステップＳ６に戻りモード変更時限をカウントアップさせる。モード変更時限が２分を経過した場合は（Ｓ８でＹｅｓ）、女性はエレベーターを利用しなかったと見なし、ステップＳ９に進む。
【００３３】
また、ステップＳ７でエレベーターが運転された、すなわち女性がエレベーターを利用した場合も（Ｓ７でＹｅｓ）、ステップＳ９に進む。ここでは、エレベーターが利用された、あるいはエレベーターが利用されないままモード変更時限を経過したならば、モード変更時限をクリアする（ステップＳ９）。
【００３４】
合わせて、以降の運行サービス低下を防止するために、エレベーター監視装置５は、エレベーター動作モード切替部１９より、エレベーター制御装置２へ「専用運転（特殊運転モード）」から「通常運転」に切替えを行い、本処理を終了する（ステップＳ１０）。
【００３５】
以上説明した本システム１０、又は本方法によれば、画像処理による特別な性別判定を行うことなく、建物２０に標準的に備え付けられたセンサにより容易に性別判定が可能であり、エレベーターに対し特定の運転を行うことができる。女性優待モードに対して説明をしているが、同様に男性専用運転を行うことも可能である。また、日時情報を取得（図３に一部開示）することで、図３とは異なるが、例えば、２０時から翌５時の間のみ本処理を有効にする制御、あるいは、金曜〜日曜のみ本処理を有効にする制御も可能である。
【００３６】
また、本システム１０は、性別を原因とするエレベーターの特殊運転モードについて述べているが、それに限定するものではない。本システム１０は、社長室、オーナー居住室周辺のセンサ（例えば、最上階）や、メンテナンス業者や宅配業者等の一般利用者以外が利用する区域（例えば、バックヤードやサーバルーム、ＭＤＦ室等）に配設されたセンサの発報に基づく特殊運転モード、あるいは、特定業種の従事者であること、人物の識別を原因とするエレベーターの特殊運転モードを実現しても良い。例えば、ＶＩＰ運転やシークレット運転のほか、音声案内、電子案内や広告の表示を起動するか否かを区別するモード設定も可能である。以上、説明した各種センサに加えて、更に多数のセンサを活用することで、より精度の高いエレベーターのサービスを提供することも可能である。
【００３７】
図３は、図１の本システムに対する変形例も交えて、人感センサの発報から特殊運転開始までの時間と、特殊運転持続時間と、設定時刻との一覧表である。図３に示す表には、発報位置と、発報から特殊運転開始までの時間と、特殊運転持続時間と、設定時刻と、によるそれぞれの列を設けるとともに、発報位置として、女子トイレ、女子更衣室、弁当仮置き場、ＶＩＰ（救急）専用区域、車椅子専用区域と、による行を設けている。
【００３８】
図３の表に規定する発報位置からの人感信号を、制御部１が得たならば、発報後の規定時間経過後に特殊運転モードを開始し、開始から規定の持続時間を経過したときに、特殊運転モードを解除する。一例として、ｎ階の女子トイレ１６に配設された人感センサｎ２が発報後、３分経過してから、制御部１が女性優待モードに遷移させる。その女性優待モードの開始から５分後に、制御部１は女性優待モードを解除する。なお、女性優待モードの設定時刻は１７：００〜２４：００、すなわち、一般的な会社の退社時刻を想定しており、退社時に該当女性が女子トイレ１６に立ち寄ってから、その階のエレベーターに乗り込むまでの時間を３分以上で８分以内に設定している。なお、この設定時間は説明のために仮定した数字に過ぎない。さらに、図２を用いた説明と整合しない箇所もある。
【００３９】
本システム１０は、建物２０に標準的に設置された人感センサ１１〜ｎ４や不図示の電気錠等のセンサと、通称管理人室や建築基準法で規定された中央管理室等の保安中枢設備３に引き込まれたセンサの検出信号線を入力する設備盤・防災盤（「監視盤」ともいう）４をエレベーター監視装置５やエレベーター制御装置２と接続したエレベーター制御システム１０である。本システム１０は、性別が判定可能な立入区域１５〜１８（例えば、トイレや更衣室）に設置されたセンサ１１〜ｎ４の検出状態に基づいて、エレベーター監視装置５が、階床毎、立入区域１５〜１８毎の男女の有無を検出し、検出結果を参照して規定の演算処理を実行し、エレベーターを女性専用（あるいは男性専用）に割り当てるように制御する。また、本システム１０は、人物が判定可能な立入区域１５〜１８（例えば、最上階の社長室やバックヤード、サーバルーム）に設置されたセンサの検出状態に基づいて、エレベーター監視装置５が、エレベーター制御装置２に特殊運転モードへ遷移させて、該当者の求めに応じたサービスを提供できる。
【００４０】
以下、本発明の要点を説明する。
［１］本システム１０は、エレベーターの運行を制御するものである。本システム１０は、人感センサ１１〜ｎ４と、制御部１と、を備えている。制御部１は、状況の変化に応じてエレベーターを特殊運転モードへ遷移可能にする。制御部１は、人感センサ１１〜ｎ４をはじめ、建物２０内に既存の保安設備を兼用利用する。
【００４１】
人感センサ１１〜ｎ４は、建物２０内の立入区域１５〜１８によって人物の属性を推定可能に配設されている。つまり、ある属性の人だけが立ち入ることを許容された区域１５〜１８に配設された人感センサ１１〜ｎ４から得られた人感出力によれば、人物の属性を推定できる。制御部１は、得られた人感出力に応じて推定される人物の属性に適合する特殊運転モードに遷移させるように、エレベーターの運行を制御する。
【００４２】
本発明によれば、特段の設備改修をすることなく、最小限の配線工事等や制御装置の調整により、既存のエレベーターを状況の変化に応じて特殊運転モードへ遷移可能にするエレベーター制御システム１０を提供できる。
【００４３】
［２］本システム１０の制御部１は、複数台のエレベーターに対する群管理として、割当制御と、全体制御と、遷移制御と、について制御機能を有する。割当制御は、建物２０内の即応的交通状況やかご呼びに応じて複数台の中から最適なエレベーターを選択して割り当てる制御である。全体制御は、周期的な交通流の変化に応じてエレベーター群の全体的な運行を決定する制御である。遷移制御は、各エレベーターに対する待機、回送、又は輸送の状態を遷移させる制御である。
【００４４】
特殊運転モードでは、呼応独占と、選別輸送と、時限専用化と、属性専用運行表示と、特殊運転モード表示と、の少なくとも何れかを実現する。呼応独占では、特殊運転モードに遷移する原因の人感出力を生じた発報階からのかご呼びに応じて回送するエレベーターを、他の階からのかご呼びに応じさせない独占排他的な運転に少なくとも１回割り当てる。
【００４５】
選別輸送では、回送状態のエレベーターに対し、同一の属性を推定させる人感出力を生じる発報階があれば、当発報階からのかご呼びに応じて、推定された人物の属性に適合する輸送状態を維持する。時限専用化では、特殊運転モードに遷移する原因の人感出力を生じた発報時刻から所定時間だけ推定された人物の属性に応じて複数台の中から当属性専用に指定したエレベーターの運行を決定する。
【００４６】
また、属性専用に指定したエレベーターの運行状態である旨の表示として、例えば、かご呼びボタンのすぐ上で、それを押す人の目の高さ位に、「〇×専用運転中」等と表示すれば良い。また、特殊運転モードである旨の表示として、例えば、かご内の行き先指定ボタンや、かご呼びボタンの周辺等に、「車椅子対応緩慢運転中」、あるいは「６０階直行」等と特殊運転の仕様に合わせて表示すれば良い。これは、該当者への案内であるとともに、非該当者への不利益告知でもある。該当位置、又はその近傍に既設の液晶表示器等があれば、兼用利用すると良い。
【００４７】
［３］本システム１０における立入区域１５〜１８として、女性専用領域１６，１８を採用すれば、相当の効果を発揮できる。すなわち、女性専用領域１６，１８に立ち入った人の属性は女性だから、そこに配設された人感センサ１２，２２，ｎ２，１４，２４，ｎ４の発報を受けた本システム１０の制御部１は、特殊運転モードとして、女性優待モードに遷移すると良い。
【００４８】
［４］特に、女性専用領域１６，１８が、女子更衣室１８又は女子トイレ１６である場合、その階からエレベーターを利用する人が女性である可能性が高い。そのことを原因として遷移する特殊運転モードとして、女性優待モードにする。具体的には、つぎに第１〜第３で示す３つの特殊制御のうち、少なくとも何れかを実行する。
【００４９】
第１の特殊制御として、このような状況のため、女性が乗り込んだと推定される場合、その階で乗り込んだ人が行先指定した階以外の途中階から、どの属性の人からかご呼びがあっても、それに応じないで通過するように制御する。その結果、既に乗っている女性は、途中階から乗り込もうとする者がどんな人であるかを予想して身構える必要もなく、安心して目的階まで到達できる。
【００５０】
第２の特殊制御として、女性が乗り込んだと推定される輸送状態の途中階でかご呼びがあった場合、それが女性のかご呼びと推定されるなら、その階でかごを止めて女性同士の相乗りを許容するが、それ以外は応じないで途中階を通過するように制御する。その結果、既に乗っている女性は、途中階から乗り込もうとする者がいても、女性に限られるので、特に身構える必要もなく、安心して目的階まで到達できる。
【００５１】
第３の特殊制御として、女性優待モードでは、女性専用又は男性の利用禁止、あるいは男性に利用の遠慮を要請するように表示する制御を行う。なお、この表示は、女性優待モードが解除されるまでの間、少なくともエレベーター停止階の全てにおいて、かごの内外に目立たせるが、解除後は解除されていることが誰の目にも明らかであることが望ましい。
【００５２】
［５］本システム１０は、少なくともエレベーターの制御と監視を行う目的の保安中枢設備３（「管理人室」又は「中央管理室」その他の呼称は問わない）を備えた建物２０のエレベーターに適用される。保安中枢設備３には、他の防災保安信号とともに、人感出力が情報接続されている。制御部１は、保安中枢設備３の内部又は近辺にて情報接続された人感出力を用いて、エレベーターを特殊運転モードへ遷移可能にする。
【００５３】
［６］建物２０内の立入区域１５〜１８による推定可能な人物の属性は、つぎに第１〜第４で示す４つの属性のうち、少なくとも何れかである。第１の属性は、男女の別であり、女性優待を目的とする。第２の属性は、特定業種の従事者であり、例えば、貨物の搬送効率を高める効果が期待できる。特に、弁当仮置き場に配設された人感センサの発報に応じて、エレベーターを弁当納入業者専用モードに遷移させようにすれば、弁当納入業者が昼食時間に間に合わせるように納品できる効果がある。
【００５４】
第３の属性として、建物２０内における、処遇、又は重要性や緊急性の優劣に基づく属性がある。この属性を推定して、エレベーターを特殊運転モードへ遷移可能にする。例えば、建物２０のオーナーやテナントの社長は、そのように規定された人だけが通過するゲートに配設された人感センサの発報に応じて、エレベーターをＶＩＰ専用モードに遷移させようにすれば、多忙なＶＩＰの時間を有効活用できる効果がある。なお、上述のＶＩＰを救急隊員と読み替えれば、救急専用モードに遷移できて、救命率を高める効果がある。
【００５５】
第４の属性として、保護が必要であればその程度の区別に基づく属性がある。この属性を推定して、エレベーターを特殊運転モードへ遷移可能にする。例えば、車椅子の専用ゲートや専用通路に配設された人感センサの発報に応じて、エレベーターを車椅子優待モードに遷移させる。そうすれば、扉の開閉に至るまでの時間を延長して緩慢にすることにより、安全性を高めるとともに、該当利用者の使い勝手を向上させる効果がある。
【００５６】
［７］本方法は、エレベーターの運行を制御するエレベーター制御方法である。まず、エレベーターを備えた建物２０内において、人の立入区域１５〜１８毎に人感センサ１１〜ｎ４が配設されている。これら、異なる立入区域１５〜１８毎に、立ち入る人の属性が区別されていることが多い。その一例として、トイレや更衣室に定められた男女の別がある。したがって、女子トイレ１６に配設された人感センサ１２，２２，ｎ２や女子更衣室１８に配設された人感センサ１４，２４，ｎ４が発報すれば、該当する区域に立ち入った者は、女性と推定される。
【００５７】
まず、特定のセンサに発報の有無を確認する（ステップＳ１）。例えば、ｎ階の女子トイレ１６の人感センサｎ２の発報が検出された（ステップＳ１）とする。これを換言すると、制御部１が、人感センサｎ２の人感出力を認識した（ステップＳ１）。つぎに、他の特定のセンサの発報が所定時間以内に検出されたか否かを確認する（ステップＳ２）。例えば、２階の男子トイレ１５の人感センサ２１の発報が検出された（ステップＳ２）とする。これを換言すると、制御部１が、人感センサ２１の人感出力を認識した（ステップＳ２）。
【００５８】
制御部１は、ステップＳ１，Ｓ２より、認識された人感出力の発報原因となった立入区域が、ｎ階の女子トイレ１６と、２階の男子トイレ１５であることを認識する。このように、制御部１は、識別結果に基づいて、立ち入った人物の属性を、男女の別と、特定業種の従事者と、建物２０内における処遇、又は重要性や緊急性の優劣と、保護が必要であればその程度の区別と、のうち少なくとも何れかに該当するか否かについて、これらの項目を識別結果と照合する。
【００５９】
制御部１は、上述のように照合した結果、人感センサ１１〜ｎ４から得られた人感出力に応じて推定される人物の属性に適合する特殊運転モードへ遷移する（ステップＳ４〜Ｓ９）。なお、男女の識別以外の属性については、説明を簡略にしている。
【００６０】
［８］照合した結果、すなわち、立入区域１５〜１８が女性専用領域１６，１８であれば、特殊運転モードとして女性優待モードにする、少なくとも女性が存在するので、制御部１は、予め定められた論理に基づいて女性優待モードへ遷移する（Ｓ５）。なお、この論理には、日中の混雑時間帯であれば、女性優待モードへ遷移させないようにプログラムされていても良い（図３参照）。この運用時間帯の論理は、満員電車に対する女性優待モードの適用時間帯とは逆である。
【００６１】
［９］立入区域が特定業種の従事者専用領域であれば、特殊運転モードとして特定業種に適合する運転モードにする。例えば、建物２０のテナントにおける多数の就業者に対する仕出し弁当提供の業者が、弁当を積んだ配送用の台車を地上階の弁当仮置き場に指定された不図示の所定区域に置いたとする。このとき、当該区域に配設された人感センサ等が発報したことに基づいて、制御部１は、弁当搬入優先モードに遷移させることが可能である。ただし、適用時間は、図３に示すように、午前１１時から同４５分までの４５分間内であり、複数の貨物専用エレベーターのうちの所定の１機に限定するといった論理（不図示）を併用しても良い。
【００６２】
［１０］立入区域が保護を要する人専用の領域であれば、特殊運転モードとして要保護者優待モードにする。例えば、車椅子優待モードの運用について、［６］に第４の属性として説明したとおりである。
【００６３】
［１１］立入区域が建物２０内における優待処遇者専用の領域であれば、特殊運転モードとしてＶＩＰモードにする。制御部１は、該当する人感センサ等が発報したことに基づいて、ＶＩＰモードに遷移する。ＶＩＰモードでは、ＶＩＰと認定された搭乗者が、かご内の行き先指示したとおりに運転される以外、他の階からのかご呼びに応じない独占排他輸送状態となる。なお、ＶＩＰモードを救急隊員専用モードと読み替えても同様の運行になる。
【００６４】
［補足］
中央管理室（本発明でいう「保安中枢設備」）３とは、建物や建築設備などを集中的に管理するための場所である。建築基準法及び建築基準法施行令の規定により、一定の規模を超える建築物において設置が義務づけられている。高層ビル、大規模な百貨店、病院等には必ず設置されている。中央監視室３を設置しなければならない建築物の一つに、高さ３１ｍを超える非常用エレベーターの設置が必要な建築物がある（他の詳細は省略する）。
【００６５】
本システム１０の適用対象とする建物２０は、建築基準法施行令第２０条の２第２号に規定された中央管理室（保安中枢設備３）を備えている。保安中枢設備３は、少なくとも非常用エレベーターの制御と監視を行う。逆に、非常用エレベーターが設置された建物２０には、その非常用エレベーターの制御と監視を行う保安中枢設備３の設置が義務付けられている。保安中枢設備３は、保安目的で常時人による監視等が行われており、確実な通報体制が確保されている。
【００６６】
建物２０は、このような法定義務を遵守するために、建物２０の随所に各種センサ１１〜ｎ４が配設されて、保安中枢設備３の監視員に保安情報を提供できる体制が構築されている。その保安情報は、保安用信号線により保安中枢設備３に情報接続されている。この保安用信号線から得られた信号を用いて任意に設定された特殊運転モードへの遷移を可能にする制御部１が設けられている。なお、保安情報とは、人感センサ１１〜ｎ４の発報する人感出力をいう。また、保安用信号線とは、図１の設備盤・防災盤４を経由してエレベーター監視装置５に接続されて情報接続された信号線であって、人感出力のほか、図示せぬ電気錠の開閉信号を伝達する信号線も含まれる。
【００６７】
上述した保安用信号線と、特殊運転モードへの遷移を可能にする制御部１と、は何れも既存、又はわずかな配線や増設、あるいは改造工事の負担で実現できる設備である。これらによって、制御部１が、保安用信号線から得られた発報信号を用いて、特殊運転モードへの遷移を可能にする。
【００６８】
以上、説明したように、所定基準に該当する（ある規模以上の）建物２０には防災・セキュリティ管理目的で各部にセンサが配置され、設備の状態を集中管理する法定義務がある。本システム１及び本方法は、このように集中管理された既存のセンサ信号を利用することにより、特段の設備改修をすることなく、最小限の配線工事等や制御装置の調整により、既存のエレベーターを状況の変化に応じて特殊運転モードへ遷移可能にする。一例として、女性優待モードを実現する。
【符号の説明】
【００６９】
１  制御部
２  エレベーター制御装置
３  保安中枢設備（管理人室、又は中央管理室）
４  設備盤・防災盤
５  エレベーター監視装置
６  設備状態検出部
７  制御処理部
８  設備状態記憶部
９  エレベーター動作状態判定部
１０  エレベーター制御システム（本システム）
１１〜１４（１階），２１〜２４（２階），ｎ１〜ｎ４（ｎ階），  人感センサ
１１〜ｎ１  （１階〜ｎ階にある男子トイレ１５の）人感センサ
１２〜ｎ２  （１階〜ｎ階にある女子トイレ１６の）人感センサ
１３〜ｎ３  （１階〜ｎ階にある男子更衣室１７の）人感センサ
１４〜ｎ４  （１階〜ｎ階にある女子更衣室１８の）人感センサ
１５〜１８  立入区域
１９  エレベーター動作モード切替部
２０  （ある規模以上の）建物
２５  エレベーター通信部
【図１】
2020083545.tif 000003
【図２】
2020083545.tif 000004
【図３】
2020083545.tif 000005